(57)【特許請求の範囲】
【請求項１】
行方向に延在する複数の走査線と列方向に延在する複数のデータ線との各交差に対応して設けられた画素を階調表示させる表示装置の駆動方法であって、
前記複数の走査線の各々を、１水平走査期間毎に順次選択するとともに、
選択した走査線が奇数行であれば、当該１水平走査期間を２つの期間に分割した一方の期間において、所定の基準電位に対して正極性または負極性のいずれか一方極性の選択電圧を、
選択した走査線が偶数行であれば、当該１水平走査期間を２つの期間に分割した一方の期間において、正極性または負極性のいずれか他方極性の選択電圧を、
それぞれ選択した走査線に印加し、
前記複数の走査線のうち、奇数行または偶数行のいずれか一方に位置する走査線を選択する場合、
当該走査線と第１のグループに属するデータ線との交差に対応する画素に対し、
当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、
当該走査線と前記第１のグループに属さないデータ線との交差に対応する画素に対し、
当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、
前記複数の走査線のうち、奇数行または偶数行のいずれか他方に位置する走査線を選択する場合、
当該走査線と前記第１のグループに属するデータ線との交差に対応する画素に対し、
当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、
当該走査線と前記第１のグループに属さないデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、
いずれの場合においても、１水平走査期間の他方の期間にあっては、前記一方の期間で前記非点灯電圧を印加する期間、前記点灯電圧を印加し、前記一方の期間で前記点灯電圧を印加する期間、前記非点灯電圧を印加する
ことを特徴とする表示装置の駆動方法。
【請求項２】
前記第１のグループに属するデータ線の本数と、前記第１のグループに属さないデータ線の本数とを同一とする
ことを特徴とする請求項１に記載の表示装置の駆動方法。
【請求項３】
前記第１のグループに属するデータ線は、前記複数のデータ線のうち、奇数列または偶数列のいずれか一方に位置するデータ線である
ことを特徴とする請求項２に記載の表示装置の駆動方法。
【請求項４】
行方向に延在する複数の走査線と列方向に延在する複数のデータ線との各交差に対応して設けられた画素を階調表示させる表示装置の駆動回路であって、
前記複数の走査線の各々を、１水平走査期間毎に順次選択するとともに、
選択した走査線が奇数行であれば、当該１水平走査期間を２つの期間に分割した一方の期間において、所定の基準電位に対して正極性または負極性のいずれか一方極性の選択電圧を、
選択した走査線が偶数行であれば、当該１水平走査期間を２つの期間に分割した一方の期間において、正極性または負極性のいずれか他方極性の選択電圧を、
それぞれ選択した走査線に印加する走査線駆動回路と、
前記複数の走査線のうち、奇数行または偶数行のいずれか一方に位置する走査線が選択される場合、
当該走査線と第１のグループに属するデータ線との交差に対応する画素に対し、
当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、
当該走査線と前記第１のグループに属さないデータ線との交差に対応する画素に対し、
当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、
前記複数の走査線のうち、奇数行または偶数行のいずれか他方に位置する走査線が選択される場合、
当該走査線と前記第１のグループに属するデータ線との交差に対応する画素に対し、
当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、
当該走査線と前記第１のグループに属さないデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、
いずれの場合においても、１水平走査期間の他方の期間にあっては、前記一方の期間で前記非点灯電圧を印加する期間、前記点灯電圧を印加し、前記一方の期間で前記点灯電圧を印加する期間、前記非点灯電圧を印加するデータ線駆動回路と
を具備することを特徴とする表示装置の駆動回路。
【請求項５】
一対の基板間に電気光学材料が挟持されてなり、前記一対の基板のうち、一方の基板には複数の走査線が設けられる一方、他方の基板には複数のデータ線が設けられて、前記複数の走査線と前記複数のデータ線との各交差に対応して設けられた画素を階調表示する表示装置であって、
前記複数の走査線の各々を、１水平走査期間毎に順次選択するとともに、
選択した走査線が奇数行であれば、当該１水平走査期間を２つの期間に分割した一方の期間において、所定の基準電位に対して正極性または負極性のいずれか一方極性の選択電圧を、
選択した走査線が偶数行であれば、当該１水平走査期間を２つの期間に分割した一方の期間において、正極性または負極性のいずれか他方極性の選択電圧を、
それぞれ選択した走査線に印加する走査線駆動回路と、
前記複数の走査線のうち、奇数行または偶数行のいずれか一方に位置する走査線が選択される場合、
当該走査線と第１のグループに属するデータ線との交差に対応する画素に対し、
当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、
当該走査線と前記第１のグループに属さないデータ線との交差に対応する画素に対し、
当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、
前記複数の走査線のうち、奇数行または偶数行のいずれか他方に位置する走査線が選択される場合、
当該走査線と前記第１のグループに属するデータ線との交差に対応する画素に対し、
当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、
当該走査線と前記第１のグループに属さないデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、
いずれの場合においても、１水平走査期間の他方の期間にあっては、前記一方の期間で前記非点灯電圧を印加する期間、前記点灯電圧を印加し、前記一方の期間で前記点灯電圧を印加する期間、前記非点灯電圧を印加するデータ線駆動回路と
を具備することを特徴とする表示装置。
【請求項６】
前記画素は、スイッチング素子と、前記電気光学材料とからなる容量素子とを含み、
前記容量素子は、前記スイッチング素子により駆動される
ことを特徴とする請求項５に記載の表示装置。
【請求項７】
前記スイッチング素子は、導電体／絶縁体／導電体の構造を有する薄膜ダイオード素子であって、
その一方が、前記走査線または前記データ線のいずれかに接続され、他方が、前記容量素子に接続されている
ことを特徴とする請求項６に記載の表示装置。
【請求項８】
請求項５乃至７のいずれかに記載の表示装置を備える
ことを特徴とする電子機器。
【発明の詳細な説明】
【０００１】
【発明の属する技術分野】
本発明は、パルス幅階調によって階調表示を行う際に、さらなる低消費電力化を図った表示装置の駆動方法、その駆動回路、表示装置、および、電子機器に関する。
【０００２】
【従来の技術】
一般に、携帯用電子機器には、各種の情報をユーザに示すために表示装置が設けられる。この種の表示装置は、電気光学材料の電気光学的変化を用いて表示を行うが、一般には、液晶装置が広く用いられている。一方、近年では、単純なオンオフ（２値）表示のみならず、豊かな中間階調で表示を行うように高階調表示化が要求されている。
【０００３】
【発明が解決しようとする課題】
しかしながら、携帯型電子機器は、電池駆動が原則であるため、低消費電力であることが強く求められているが、周知のように、高階調表示を行うと、単純なオンオフ表示と比較して、著しく消費電力が高くなることが知られている。すなわち、携帯型電子機器に用いられる表示装置には、高階調表示化と、低消費電力化という一見すると相矛盾する２つの要求を同時に解決することが求められている。
【０００４】
本発明は、このような事情に鑑みてなされたもので、その目的とするところは、消費電力を低く抑えた上で、階調表示が可能な表示装置の駆動方法、その駆動回路、表示装置、および、電子機器を提供することにある。
【０００５】
【課題を解決するための手段】
上記目的を達成するために、本件第１の発明は、行方向に延在する複数の走査線と列方向に延在する複数のデータ線との各交差に対応して設けられた画素を階調表示させる表示装置の駆動方法であって、前記複数の走査線の各々を、１水平走査期間毎に順次選択するとともに、選択した走査線が奇数行であれば、当該１水平走査期間を２つの期間に分割した一方の期間において、所定の基準電位に対して正極性または負極性のいずれか一方極性の選択電圧を、選択した走査線が偶数行であれば、当該１水平走査期間を２つの期間に分割した一方の期間において、正極性または負極性のいずれか他方極性の選択電圧を、それぞれ選択した走査線に印加し、前記複数の走査線のうち、奇数行または偶数行のいずれか一方に位置する走査線を選択する場合、当該走査線と第１のグループに属するデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、当該走査線と前記第１のグループに属さないデータ線との交差に対応する画素に対し、当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、前記複数の走査線のうち、奇数行または偶数行のいずれか他方に位置する走査線を選択する場合、当該走査線と前記第１のグループに属するデータ線との交差に対応する画素に対し、当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、当該走査線と前記第１のグループに属さないデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、いずれの場合においても、１水平走査期間の他方の期間にあっては、前記一方の期間で前記非点灯電圧を印加する期間、前記点灯電圧を印加し、前記一方の期間で前記点灯電圧を印加する期間、前記非点灯電圧を印加することを特徴としている。
【０００６】
この第１の発明によれば、奇数行または偶数行のいずれか一方に位置する走査線と第１のグループに属するデータ線との交差に対応する画素では、いわゆる左寄変調法によって階調表示が行われる一方、奇数行または偶数行のいずれか他方に位置する走査線と第１のグループに属するデータ線との交差に対応する画素では、いわゆる右寄変調法によって階調表示が行われる。これにより、データ線に印加される点灯電圧と非点灯電圧との切り替え回数が低減される結果、この切り替えに伴って消費される電力を抑えることが可能となる。ある走査線が選択された場合において、第１のグループに属するデータ線に点灯電圧が印加されるタイミングと、第１のグループに属さないデータ線に点灯電圧が印加されるタイミングとは、同一階調であっても異なることになる。このため、複数の画素について同一階調の表示を行う場合に、同一タイミングでレベル遷移するデータ線が減少するので、走査線における選択電圧の鈍化が低減され、これにより、表示品位の低下を抑えることが可能となる。
【０００９】
したがって、前記第１のグループに属するデータ線の本数と、前記第１のグループに属さないデータ線の本数とを同一とすることが望ましい。これにより、選択された走査線に位置する画素が同一中間階調であっても、データ線における点灯電圧の切り替えタイミングは２つとなり、かつ、切り替えタイミングが同一となるデータ線は、データ線の総数の半分ずつとなる。また、このようにするには、例えば、前記第１のグループに属するデータ線は、前記複数のデータ線のうち、奇数列または偶数列のいずれか一方に位置するデータ線とすることが考えられる。
【００１０】
次に、上記目的を達成するために、本件第２の発明は、行方向に延在する複数の走査線と列方向に延在する複数のデータ線との各交差に対応して設けられた画素を階調表示させる表示装置の駆動回路であって、前記複数の走査線の各々を、１水平走査期間毎に順次選択するとともに、選択した走査線が奇数行であれば、当該１水平走査期間を２つの期間に分割した一方の期間において、所定の基準電位に対して正極性または負極性のいずれか一方極性の選択電圧を、選択した走査線が偶数行であれば、当該１水平走査期間を２つの期間に分割した一方の期間において、正極性または負極性のいずれか他方極性の選択電圧を、それぞれ選択した走査線に印加する走査線駆動回路と、前記複数の走査線のうち、奇数行または偶数行のいずれか一方に位置する走査線が選択される場合、当該走査線と第１のグループに属するデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、当該走査線と前記第１のグループに属さないデータ線との交差に対応する画素に対し、当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、前記複数の走査線のうち、奇数行または偶数行のいずれか他方に位置する走査線が選択される場合、当該走査線と前記第１のグループに属するデータ線との交差に対応する画素に対し、当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、当該走査線と前記第１のグループに属さないデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、いずれの場合においても、１水平走査期間の他方の期間にあっては、前記一方の期間で前記非点灯電圧を印加する期間、前記点灯電圧を印加し、前記一方の期間で前記点灯電圧を印加する期間、前記非点灯電圧を印加するデータ線駆動回路とを具備することを特徴としている。この第２の発明によれば、上記第１の発明と同様に、データ線に印加される点灯電圧と非点灯電圧との切り替え回数が低減される結果、この切り替えに伴って消費される電力を抑えることが可能となる。
【００１１】
同様に、上記目的を達成するために、本件第３の発明は、一対の基板間に電気光学材料が挟持されてなり、前記一対の基板のうち、一方の基板には複数の走査線が設けられる一方、他方の基板には複数のデータ線が設けられて、前記複数の走査線と前記複数のデータ線との各交差に対応して設けられた画素を階調表示する表示装置であって、前記複数の走査線の各々を、１水平走査期間毎に順次選択するとともに、選択した走査線が奇数行であれば、当該１水平走査期間を２つの期間に分割した一方の期間において、所定の基準電位に対して正極性または負極性のいずれか一方極性の選択電圧を、選択した走査線が偶数行であれば、当該１水平走査期間を２つの期間に分割した一方の期間において、正極性または負極性のいずれか他方極性の選択電圧を、それぞれ選択した走査線に印加する走査線駆動回路と、前記複数の走査線のうち、奇数行または偶数行のいずれか一方に位置する走査線が選択される場合、当該走査線と第１のグループに属するデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、当該走査線と前記第１のグループに属さないデータ線との交差に対応する画素に対し、当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、前記複数の走査線のうち、奇数行または偶数行のいずれか他方に位置する走査線が選択される場合、当該走査線と前記第１のグループに属するデータ線との交差に対応する画素に対し、当該１水平走査期間の一方の期間にあっては、当該一方の期間の終点よりも階調に応じた期間手前の時点から当該一方の期間の終点まで点灯電圧を、その一方の期間の残余期間では非点灯電圧を、それぞれ当該データ線を介して印加し、当該走査線と前記第１のグループに属さないデータ線との交差に対応する画素に対し、当該１水平走査期間の一方の期間にあっては、当該一方の期間の始点から階調に応じた期間が経過するまで点灯電圧を、その一方の期間の残余期間では非点灯電圧を、それぞれ当該データ線を介して印加し、いずれの場合においても、１水平走査期間の他方の期間にあっては、前記一方の期間で前記非点灯電圧を印加する期間、前記点灯電圧を印加し、前記一方の期間で前記点灯電圧を印加する期間、前記非点灯電圧を印加するデータ線駆動回路とを具備することを特徴としている。この第３の発明によれば、上記第１および第２の発明と同様に、データ線に印加される点灯電圧と非点灯電圧との切り替え回数が低減される結果、この切り替えに伴って消費される電力を抑えることが可能となる。
【００１４】
加えて、上記目的を達成するために本件第４の発明に係る電子機器にあっては、上記表示装置を備えるので、上述したように、階調表示を行う場合において、なお一層の低消費電力化を図ることが可能となる。
【００１５】
【発明の実施の形態】
以下、本発明の実施の形態について図面を参照して説明する。
【００１６】
＜電気的構成＞
はじめに、本発明の実施形態に係る表示装置の電気的構成について説明する。図１は、この表示装置の電気的な構成を示すブロック図である。図において、液晶パネル１００には、３２０本のデータ線（セグメント電極）２１２が列（Ｙ）方向に延在して形成される一方、２４０本の走査線（コモン電極）３１２が行（Ｘ）方向に延在して形成されるとともに、データ線２１２と走査線３１２との各交差に対応して画素１１６が形成されている。さらに、各画素１１６は、液晶層１１８と、スイッチング素子の一例であるＴＦＤ（Thin Film Diode：薄膜ダイオード）２２０との直列接続からなる。なお、本実施形態にあっては、説明の便宜上、走査線３１２の総数を２４０本とし、データ線２１２の総数を３２０本として、２４０行×３２０列のマトリクス型表示装置として説明するが、本発明をこれに限定する趣旨ではない。
【００１７】
また、Ｙドライバ３５０は、一般には走査線駆動回路と呼ばれ、走査信号Ｙ１、Ｙ２、……、Ｙ２４０を対応する走査線３１２に供給するものであって、詳細には、走査線３１２を１本毎に順次選択して、その選択期間の後半期間に選択電圧を印加する一方、それ以外の前半期間および非選択期間に非選択電圧を印加するものである。また、Ｘドライバ２５０は、一般には、データ線駆動回路と呼ばれ、Ｙドライバ３５０により選択された走査線３１２に位置する画素１１６に対し、表示内容に応じたデータ信号Ｘ１、Ｘ２、……、Ｘ３２０を、それぞれ対応するデータ線２１２を介して供給するものである。
【００１８】
一方、制御回路４００は、Ｘドライバ２５０およびＹドライバ３５０に対して、後述する各種制御信号やクロック信号などを供給して、両者を制御するものである。また、駆動電圧形成回路５００は、データ信号におけるデータ電圧および走査信号の非選択電圧として兼用される電圧±ＶＤ／２と、走査信号の選択電圧として用いられる電圧±ＶＳとをそれぞれ生成するものである。
【００１９】
なお、本実施形態においては、走査線３１２やデータ線２１２に印加される電圧の極性は、データ線２１２に印加されるデータ電圧±ＶＤ／２の中間電位を基準として高電位側を正とし、低電位側を負としている。
【００２０】
＜機械的構成＞
次に、本実施形態に係る表示装置の機械的な構成について説明する。図２は、この表示装置の全体構成を示す斜視図である。この図に示されるように、液晶パネル１００にあっては、素子基板２００と対向基板３００とを互いに貼付した構成となっている。そして、素子基板２００の対向面において対向基板３００から張り出した端子部分には、ベアチップのＸドライバ２５０がＣＯＧ（Chip On Glass）技術により実装されるとともに、Ｘドライバ２５０に各種信号を供給するためのＦＰＣ（Flexible Printed Circuit）基板２６０の一端が接続される。同様に、対向基板３００の対向面において素子基板２００から張り出した端子部分には、ベアチップのＹドライバ３５０がＣＯＧ技術により実装されるとともに、Ｙドライバ３５０に各種信号を供給するためのＦＰＣ基板３６０の一端が接続される。なお、ＦＰＣ基板２６０、３６０の他端には、制御回路４００や駆動電圧形成回路５００（図１参照）がそれぞれ接続される。
【００２１】
ここで、Ｘドライバ２５０およびＹドライバ３５０における実装は、それぞれ、第１に、基板との所定位置において、接着材中に導電性微粒子を均一に分散させたフィルム状の異方性導電膜を挟持し、第２に、ベアチップたるドライバを基板に加圧・加熱することにより行われる。ＦＰＣ基板２６０、３６０の接続も同様にして行われる。なお、Ｘドライバ２５０およびＹドライバ３５０を、それぞれ素子基板２００および対向基板３００に実装する替わりに、例えば、ＴＡＢ（Tape Automated Bonding）技術を用いて、ドライバが実装されたＴＣＰ（Tape Carrier Package）を、基板の所定位置に設けられる異方性導電膜により電気的および機械的に接続する構成としても良い。
【００２２】
＜液晶パネルの詳細構成＞
次に、液晶パネル１００における画素１１６の詳細構成について説明する。図３は、その構造を示す部分破断斜視図である。この図に示されるように、素子基板２００の対向面には、ＩＴＯ（Indium Tin Oxide）などの透明導電体からなる画素電極２３４がＸ方向およびＹ方向にマトリクス状に配列しており、このうち、同一列に配列する２４０個の画素電極２３４が、Ｙ方向に延在するデータ線２１２の１本に、それぞれＴＦＤ２２０を介して接続されている。ここで、ＴＦＤ２２０は、基板側からみると、タンタル単体やタンタル合金などから形成され、データ線２１２から枝分かれした第１の導電体２２２と、この第１の導電体２２２を陽極酸化してなる絶縁体２２４と、クロム等などの第２の導電体２２６とから構成されて、導電体／絶縁体／導電体のサンドイッチ構造を採る。このため、ＴＦＤ２２０は、電流−電圧特性が正負双方向にわたって非線形となるダイオードスイッチング特性を有することになる。
【００２３】
また、絶縁体２０１は、素子基板２００の上面に形成されて、透明性および絶縁性を有するものである。この絶縁体２０１が形成される理由は、第２の導電体２２６の堆積後における熱処理により、第１の導電体２２２が剥離しないようにするため、および、第１の導電体２２２に不純物が拡散しないようにするためである。したがって、これらが問題とならない場合には、絶縁体２０１は省略可能である。
【００２４】
一方、対向基板３００の対抗面には、ＩＴＯなどからなる走査線３１２が、データ線２１２とは直交する行方向に延在し、かつ、画素電極２３４の対向する位置に配列している。したがって、走査線３１２は、画素電極２３４の対向電極として機能することになる。
【００２５】
そして、このような素子基板２００と対向基板３００とは、基板周辺に沿って塗布されるシール剤（図示省略）と、適切に散布されたスペーサ（図示省略）とによって、一定の間隙を保っており、この閉空間に例えば、ＴＮ（Twisted Nematic）型の液晶１０５が封入されている。したがって、図１における液晶層１１８は、データ線２１２と走査線３１２との交差において、当該走査線３１２と、画素電極２３４と、両者の間に位置する液晶１０５とで構成されることになる。
【００２６】
ほかに、対向基板３００には、液晶パネル１００の用途に応じて、例えば、ストライプ状や、モザイク状、トライアングル状等に配列されたカラーフィルタが設けられ、それ以外の領域には遮光のためブラックマトリクスが設けられる。くわえて、素子基板２００および対向基板３００の各対向面には、それぞれ所定の方向にラビング処理された配向膜などが設けられる一方、各基板の背面には配向方向に応じた偏光子などがそれぞれ設けられる（いずれも図示省略）。
【００２７】
＜駆動＞
このような構成の液晶パネル１００において、１個分の画素１１６は、図１１（ａ）に示されるような等価回路で表すことができる。すなわち、同図に示されるように、１個分の画素１１６は、ＴＦＤ２２０と液晶層１１８との直列回路で示されるとともに、両者は、それぞれ抵抗ＲＴおよび容量ＣＴの並列回路、抵抗ＲＬＣおよび容量ＣＬＣの並列回路により表すことができる。
【００２８】
このような等価回路で示される画素１１６の両端には、それぞれデータ信号Ｘｉおよび走査信号Ｙｊが所定の駆動方法にしたがって印加される。なお、データ信号Ｘｉとは、図１において左から数えてｉ列目のデータ線２１２に印加されるデータ信号を意味し、また、走査信号Ｙｊとは、図１において上から数えてｊ行目の走査線３１２に印加される走査信号を意味するものとする。
【００２９】
ここで、一般的な駆動方法たる４値駆動法（１Ｈ反転）について説明する。図１２は、この４値駆動法（１Ｈ反転）において、ある画素１１６に印加される走査信号Ｙｊおよびデータ信号Ｘｉの波形例を示す図である。この駆動方法は、走査信号Ｙｊとして、１水平走査期間１Ｈに選択電圧＋ＶＳを印加した後、保持期間に非選択電圧＋ＶＤ／２を印加して、前回の選択から１垂直走査期間（１フレーム）１Ｖ経過すると、選択電圧−ＶＳを印加して、保持期間に非選択電圧−ＶＤ／２を印加する、という動作を繰り返す一方、データ信号Ｘｉとして、データ電圧±ＶＤ／２のいずれかを印加するというものである。また、ある走査線への走査信号Ｙｊとして選択電圧＋ＶＳを印加すると、その次の走査線への走査信号Ｙｊ＋１として選択電圧−ＶＳ／２を印加する、というように１水平走査期間１Ｈ毎に、選択電圧の極性を反転する動作も行う。なお、この４値駆動法（１Ｈ反転）におけるデータ信号Ｘｉは、選択電圧＋ＶＳを印加する場合であって、画素１１６をオンするときには−ＶＤ／２となり、画素１１６をオフするときには＋ＶＤ／２となる一方、選択電圧−ＶＳを印加する場合であって、画素１１６をオンするときには＋ＶＤ／２となり、画素１１６をオフするときには−ＶＤ／２となる。
【００３０】
ところで、この４値駆動法（１Ｈ反転）において、例えば、図１３に示されるように、走査線の１本おきの白黒表示からなるゼブラ表示を、表示画面１００ａの一部領域Ａで行うと、いわゆるクロストークが、領域Ａに対してＹ方向に発生する、という問題が知られている。
【００３１】
この理由を簡単に説明すれば次のような理由による。すなわち、領域Ａにおいてゼブラ表示を行うと、領域Ａにかかるデータ線へのデータ信号においては、電圧±ＶＤ／２の切り替え周期が走査信号の反転周期と一致してしまうので、そのデータ信号の電圧は、領域Ａにかかる走査線が選択される期間において±ＶＤ／２のいずれか一方に固定されてしまう。これを、領域Ａに対してＹ方向に隣接する領域の画素からみれば、保持期間の一部期間におけるデータ電圧が一方に固定化されることを意味する。一方、相隣接する走査線での選択電圧は、上述したように互いに反対極性である。したがって、領域Ａに対しＹ方向に隣接する領域において、保持期間の一部期間で印加される電圧実効値は、奇数行に位置する画素１１６と奇数行に位置する画素１１６とにおいて顕著に異なってしまう。この結果、領域Ａに対してＹ方向に隣接する領域において、奇数行の画素１１６と偶数行の画素１１６とにおいて濃度差が生じて、上述したようなクロストークが発生してしまうのである。
【００３２】
この問題を解消するために、４値駆動法（１／２Ｈ反転）という駆動方法が用いられる。この４値駆動方法（１／２反転）は、図１４に示されるように、４値駆動方法（１Ｈ反転）における１水平走査期間１Ｈを前半期間と後半期間とに分け、このうち後半期間１／２Ｈにおいて走査線の選択を行うとともに、１水平走査期間１Ｈにおいてデータ電圧−ＶＤ／２と＋ＶＤ／２とが印加される期間の割合をそれぞれ５０％としたものである。この４値駆動方法（１／２反転）によれば、いかなるパターンを表示させたとしても、データ信号Ｘｉにおいて、電圧−ＶＤ／２の印加期間と電圧＋ＶＤ／２の印加期間とが互いに半分ずつとなるので、上述したクロストークの発生が防止されることとなる。
【００３３】
次に、階調表示を行う場合の駆動方法について説明する。階調表示の方法は、電圧変調とパルス幅変調とに大別されるが、前者の電圧変調では、所定の階調を表示するための電圧制御が困難であるため、一般には、後者のパルス幅変調が用いられる。このパルス幅変調を、上述した４値駆動法（１／２Ｈ反転）に適用する場合には、図１５（ａ）に示されるように、選択期間の終わりに点灯電圧を印加する、といういわゆる右寄変調法と、同図（ｂ）に示されるように、選択期間の始めに点灯電圧を印加する、といういわゆる左寄変調法と、階調データの各ビットの重みに対応した時間幅の点灯電圧を、選択期間において分散させる、といういわゆる分散変調法（図示省略）との３通りが存在する。ここで、点灯電圧とは、データ線２１２に印加されるデータ電圧のうち、選択電圧±ＶSの印加期間において当該選択電圧とは逆極性となるデータ電圧をいい、いわば画素１１６の書き込みに寄与する電圧を意味する。
【００３４】
さて、３通りの変調法のうち、左寄変調法と分散変調法とにおいては、点灯電圧を一旦書き込んだ後に、放電が発生することになるので、階調制御が困難となる上、駆動電圧を高くしなければならない。このため、４値駆動法において、階調表示を行う場合には、一般的に右寄変調法が用いられる。
【００３５】
一方、図１に示される表示装置において、走査線３１２の総数は２４０本であるから、１垂直走査期間１Ｖにおける保持期間（非選択期間）は、１水平走査期間１Ｈの２３９倍である２３９Ｈの期間となる。この保持期間では、ＴＦＤ２２０がオフとなるから、その抵抗ＲＴは十分に大きく、また、液晶層１１８の抵抗ＲＬＣは、ＴＦＤ２２０のオンオフにかかわらず十分に大きい。そこで、保持期間における画素１１６の等価回路は、図１１（ｂ）に示されるように、容量ＣＴおよび容量ＣＬＣの直列合成容量からなる容量Ｃｐｉｘで表すことができる。ここで、容量Ｃｐｉｘは、（ＣＴ・ＣＬＣ）／（ＣＴ＋ＣＬＣ）である。
【００３６】
いま、ある走査線３１２が非選択である場合であって、当該走査線への走査信号Ｙｊの非選択電圧が例えば＋ＶＤ／２である場合、データ信号Ｘｉのデータ電圧は、図１６（ａ）または同図（ｂ）に示されるように、＋ＶＤ／２または−ＶＤ／２に交互に切り替えられる。図示は省略するが、当該走査線への走査信号Ｙｊの非選択電圧が−ＶＤ／２である場合でも、同様に、データ信号Ｘｉのデータ電圧は、＋ＶＤ／２または−ＶＤ／２に交互に切り替えられる。このため、１つの画素１１６では、保持期間であっても、データ信号Ｘｉにおける２回の電圧切り替えにより、Ｃｐｉｘ・ＶＤの電荷が電源から供給されて、画素１１６において容量負荷による電力が消費されることになる。
【００３７】
ここで、４値駆動法において階調表示のために右寄変調法を用いた場合に、ある１列の画素１１６が白（オフ）または黒（オン）の表示であるとき、当該列に対応するデータ信号Ｘｉにおける電圧切り替え回数は、図１７に示されるように１水平走査期間１Ｈあたり１回である。しかしながら、ある１列の画素１１６が中間階調（例えば、やや白、やや黒）の表示であるとき、当該列に対応するデータ信号Ｘｉにおける電圧切り替え回数は、同図に示されるように１水平走査期間１Ｈあたり３回となる。したがって、ある画素１１６が中間階調の表示であると、保持期間において消費される電力が、白または黒の表示であるときと比較して３倍となってしまう。
【００３８】
そこで、本発明の実施形態に係る表示装置は、図８に示されるように、奇数行の走査線３１２に位置する画素１１６に対しては、右寄変調法を用いる一方、偶数行の走査線３１２に位置する画素１１６に対しては、左寄変調法を用いることによって、ある１列の画素１１６が中間階調表示であるときに、当該列に対応するデータ信号Ｘｉにおける電圧切り替え回数を、同図に示されるように１水平走査期間１Ｈあたり２回として、保持期間において消費される電力を抑えたものである。以下、このような駆動を行うための回路について説明する。
【００３９】
＜制御回路＞
まず、図１における制御回路４００により生成される制御信号やクロック信号などの各種制御信号について説明する。第１に、開始パルスＹＤは、図５に示されるように、１垂直走査期間（１フレーム）の最初に出力されるパルスである。第２に、クロック信号ＹＣＬＫは、走査線側の基準信号であり、図５に示されるように、１水平走査期間に相当する１Ｈの周期を有する。第３に、交流駆動信号ＭＹは、走査線側において画素１１６を交流駆動するための信号であり、図５に示されるように、１水平走査期間１Ｈ毎に信号レベルが反転し、かつ、同一の走査線が選択される水平走査期間においては１垂直走査期間毎に信号レベルが反転する。このため、交流駆動信号ＭＹによって、１水平走査期間１Ｈ毎に選択電圧の極性が反転し、かつ、その極性が１垂直走査期間毎に反転する駆動が行われることとなる。第４に、制御信号ＩＮＨは、１水平走査期間１Ｈの後半期間を選択するための信号であり、図５に示されるように、当該後半期間にＨアクティブとなる。
【００４０】
第５に、ラッチパルスＬＰは、データ線側において、データ信号をラッチするためのものであり、図７に示されるように、１水平走査期間１Ｈの最初に出力される。第６に、リセット信号ＲＥＳは、図７に示されるように、データ線側において１水平走査期間の前半期間の最初および後半期間の最初にそれぞれ出力されるパルスである。第７に、奇偶信号ＳＳは、図７に示されるように、奇数行の走査線３１２が、その後半期間で選択される水平走査期間１ＨではＨレベルとなる一方、偶数行の走査線が、その後半期間で選択される水平走査期間１ＨではＬレベルとなる信号である。第８に、交流駆動信号ＭＸは、データ線側において画素１１６を交流駆動するための信号であり、図７に示されるように、ある水平走査期間１Ｈの後半期間から次の水平走査期間１Ｈの前半期間まで同レベルを維持し、その後、レベル反転する信号である。なお、水平走査期間１Ｈの後半期間における交流駆動信号ＭＸと、同後半期間における交流駆動信号ＭＹとは、互いに反転レベルとなる関係にある。
【００４１】
第９に、右寄用階調コードパルスＧＣＰＲは、右寄変調法において用いる階調制御用のパルスであり、図７に示されるように、１水平走査期間１Ｈを分割した前半期間・後半期間の各終点から手前側に中間階調のレベルに応じた期間の位置にパルスをそれぞれ配列させたものである。ここで、本実施形態では、画素の濃度を指示する階調データが３ビットで表されて８階調表示を行うものとし、このうち階調データの（０００）が白（オフ）を指示する一方、（１１１）が黒（オン）を指示するものとすると、右寄用階調コードパルスＧＣＰＲは、前半期間・後半期間の各々において、白および黒を除く（００１）〜（１１０）の６個に対応するパルスが、その中間階調レベルに対応して配列したものとなっている。詳細には、階調データの（００１）、（０１０）、（０１１）、（１００）、（１０１）および（１１０）は、図７において右寄用階調コードパルスＧＣＰＲの「１」、「２」、「３」、「４」、「５」および「６」にそれぞれ対応している。
【００４２】
第１０に、左寄用階調コードパルスＧＣＰＬは、左寄変調法において用いる階調制御用のパルスであり、図７に示されるように、１水平走査期間１Ｈを分割した前半期間・後半期間の各始点から中間階調のレベルに応じた期間の位置にパルスをそれぞれ配列させたものである。なお、図７において、右寄用階調コードパルスＧＣＰＲおよび左寄用階調コードパルスＧＣＰＬは、説明の便宜のためにそれぞれ等ピッチで配列しているが、実際には、画素の印加電圧−濃度特性（Ｖ−Ｉ特性）にしたがって異ピッチとなる場合が多い。
【００４３】
＜走査線駆動回路＞
次に、走査線駆動回路３５０の詳細について説明する。図４は、この走査線駆動回路３５０の構成を示すブロック図である。この図において、シフトレジスタ３５０２は、走査線３１２に総数に対応する２４０ビットシフトレジスタであり、１フレームの最初に供給される開始パルスＹＤを、１水平走査期間１Ｈの周期を有するクロック信号ＹＣＬＫにしたがってシフトして、転送信号ＹＳ１、ＹＳ２、……、ＹＳ２４０として順次排他的に出力するものである。ここで、転送信号ＹＳ１、ＹＳ２、……、ＹＳ２４０は、各走査線３１２にそれぞれ１対１に対応して、選択すべき走査線３１２を指定するものである。
【００４４】
続いて、電圧選択信号形成回路３５０４は、交流駆動信号ＭＹと制御信号ＩＮＨとから、各走査線３１２に印加すべき電圧を定める電圧選択信号を出力するものである。ここで、本実施形態において、走査線３１２に印加される走査信号の電圧は、上述したように＋ＶＳ（正側選択電圧）、＋ＶＤ／２（正側非選択電圧）、−ＶＳ（負側非選択電圧）、−ＶＤ／２（負側選択電圧）の４値であり、このうち、選択電圧＋ＶＳまたは−ＶＳが実際に印加される期間は、１水平走査期間の後半期間１／２Ｈである。さらに、非選択電圧は、選択電圧＋ＶＳが印加された後では＋ＶＤ／２であり、選択電圧−ＶＳが印加された後では−ＶＤ／２であって、選択電圧により一義的に定まっている。
【００４５】
このため、電圧選択信号形成回路３５０４は、走査信号Ｙ１、Ｙ２、……、Ｙ２４０の電圧レベルが次のような関係となるように、電圧選択信号を２４０個生成する。すなわち、転送信号ＹＳ１、ＹＳ２、……、ＹＳ２４０のいずれかＨレベルになって、それに対応する走査線３１２が選択されると、電圧選択信号形成回路３５０４は、当該走査線３１２への走査信号の電圧レベルを、第１に、制御信号ＩＮＨがＨレベルとなる期間（１水平走査期間の後半期間１／２Ｈ）において交流駆動信号ＭＹに応じた選択電圧とし、第２に、制御信号ＩＮＨがＬレベルに遷移後、当該選択電圧に対応する非選択電圧となるように、電圧選択信号形成回路３５０４は電圧選択信号を生成する。具体的には、電圧選択信号形成回路３５０４は、制御信号ＩＮＨがＨアクティブとなる期間において、交流駆動信号ＭＹがＨレベルであれば正側選択電圧＋ＶＳを選択させる電圧選択信号を当該期間に出力し、この後、正側非選択電圧＋ＶＤ／２を選択させる電圧選択信号を出力する一方、交流駆動信号ＭＹがＬレベルであれば負側選択電圧−ＶＳを選択させる電圧選択信号を当該期間に出力し、この後、負側非選択電圧−ＶＤ／２を選択させる電圧選択信号を出力することとなる。そして、このような電圧選択信号の生成を、電圧選択信号形成回路３５０４は、２４０本の走査線３１２の各々に対応して実行する。
【００４６】
次に、レベルシフタ３５０６は、電圧選択信号形成回路３５０４によって出力される電圧選択信号の電圧振幅を拡大するものである。そして、セレクタ３５０８は、電圧振幅が拡大された電圧選択信号によって指示される電圧を、実際に選択して、対応する走査線３１２の各々に印加するものである。
【００４７】
＜走査信号の電圧波形＞
次に、上記構成の走査線駆動回路３５０によって供給される走査信号の電圧波形について、図５を参照して説明する。この図に示されるように、１垂直走査期間（１フレーム）の最初に開始パルスＹＤが供給されると、この開始パルスＹＤは、クロック信号ＹＣＬＫにより１水平走査期間１Ｈ毎に順次シフトされて、これが転送信号ＹＳ１、ＹＳ２、……、ＹＳ２４０として順次排他的に出力される。さらに、制御信号ＩＮＨにより１水平走査期間１Ｈの後半期間が選択されるとともに、当該後半期間における交流駆動信号ＭＹのレベルに応じて選択電圧の極性が定められる。このため、１本の走査線３１２に供給される走査信号の電圧は、当該走査線が選択される水平走査期間の後半期間において、交流駆動信号ＭＹが例えばＨレベルであれば正側選択電圧＋ＶＳとなり、その後、当該選択電圧に対応する正側非選択電圧＋ＶＤ／２を保持する。そして、１フレーム経過した１水平走査期間の後半期間１／２Ｈにおいては、交流駆動信号ＭＹのレベルが反転してＬレベルとなるので、当該走査線に供給される走査信号の電圧は、負側選択電圧−ＶＳとなり、その後、当該選択電圧に対応する負側非選択電圧−ＶＤ／２を保持することになる。
【００４８】
例えば、図５に示されるように、ある第ｎフレームにおいて最初に選択される走査線の走査信号Ｙ１の電圧は、当該水平走査期間の後半期間に正側選択電圧＋ＶＳとなり、その後、非選択電圧＋ＶＤ／２を保持し、次の第（ｎ＋１）フレームにおいて、最初の１水平走査期間の後半期間に負側選択電圧−ＶＳとなり、その後、負側非選択電圧−ＶＤ／２を保持する、というサイクルの繰り返しとなる。
【００４９】
一方、交流駆動信号ＭＹは、１水平走査期間１Ｈ毎にレベルが反転するので、隣接する走査線に供給される走査信号の電圧は、１水平走査期間１Ｈ毎に交互に極性が反転する関係となる。例えば、図５に示されるように、ある第ｎフレームにおいて最初に選択される走査線への走査信号Ｙ１の電圧が、当該水平走査期間の後半期間において正側選択電圧＋ＶＳであれば、２番目に選択される走査線への走査信号Ｙ２の電圧は、当該水平走査期間の後半期間において負側選択電圧−ＶＳとなる。
【００５０】
＜データ線駆動回路＞
次に、データ線駆動回路２５０の詳細について説明する。図６は、このデータ線駆動回路２５０の構成を示すブロック図である。この図において、アドレス制御回路２５０２は、階調データの読み出しに用いる行アドレスＲａｄを生成するものであり、当該行アドレスＲａｄを、１フレームの最初に供給される開始パルスＹＤによりリセットするとともに、１水平走査期間毎に供給されるラッチパルスＬＰで歩進させる構成となっている。
【００５１】
表示データＲＡＭ２５０４は、２４０行×３２０列の画素に対応する領域を有するデュアルポートＲＡＭであり、書き込み側では、図示しない処理回路から供給される階調データＤｎを、書込アドレスＷａｄにしたがって任意の番地に書き込む一方、読み出し側では、行アドレスＲａｄで指定された番地の階調データＤｎの１行分３２０個を、一括して読み出す構成となっている。
【００５２】
次に、ＰＷＭデコーダ２５０６は、データ信号Ｘ１、Ｘ２、……、Ｘ３２０のデータ電圧をそれぞれ選択するための電圧選択信号を、読み出された３２０個の階調データＤｎに応じて、リセット信号ＲＥＳ、奇偶信号ＳＳ、交流駆動信号ＭＸ、右寄用階調コードパルスＧＣＰＲおよび左寄用階調コードパルスＧＣＰＬとから生成するものである。
【００５３】
ここで、本実施形態において、データ線２１２に印加されるデータ電圧は、＋ＶＤ／２または−ＶＤ／２のいずれかであり、また、階調データＤｎは、３ビット（８階調）であるのは上述した通りである。このため、ＰＷＭデコーダ２５０６は、読み出された３２０個の階調データＤｎの各々に対応するデータ信号の電圧レベルが次のような関係となるように、電圧選択信号を生成する。
【００５４】
すなわち、奇偶信号ＳＳがＨレベルである期間（上から数えて奇数行目の走査線３１２が選択される１水平走査期間１Ｈ）において、１個の階調データＤｎに着目すれば、ＰＷＭデコーダ２５０６は、右寄用階調コードパルスＧＣＰＲのうち、当該階調データＤｎに対応するものの立ち下がりにて、交流駆動信号ＭＸと同一レベルに反転するように電圧選択信号を生成する。一方、奇偶信号ＳＳがＬレベルである期間（上から数えて偶数行の走査線３１２が選択される１水平走査期間１Ｈ）において、ＰＷＭデコーダ２５０６は、左寄用階調コードパルスＧＣＰＬのうち、読み出された階調データＤｎに対応するものの立ち下がりにて、交流駆動信号ＭＸと同一レベルに反転するように電圧選択信号を生成する。ただし、ＰＷＭデコーダ２５０６は、階調データＤｎが白（オフ）に相当する（０００）であれば、交流駆動信号ＭＸとは反転レベルとなるように、また、階調データが本実施形態において黒（オン）に相当する（１１１）であれば、交流駆動信号ＭＸと同一レベルとなるように、それぞれリセット信号ＲＥＳのリセット等を用いて電圧選択信号を生成する。このような電圧選択信号の生成を、ＰＷＭデコーダ２５０６は、読み出された３２０個の階調データＤｎの各々に対応して実行する。
【００５５】
そして、セレクタ２５０８は、ＰＷＭデコーダ２５０６による電圧選択信号によって指示される電圧を実際に選択して、対応するデータ線２１２の各々に印加する。
【００５６】
＜データ信号の電圧波形＞
次に、上記構成のデータ線駆動回路２５０によって供給されるデータ信号の電圧波形について、図７を参照して説明する。この図に示されるように、階調データが（０００）または（１１１）以外であって、奇偶信号ＳＳがＨレベルであれば、データ信号Ｘｉの電圧レベルは、右寄用階調コードパルスＧＣＰＲのうち、当該階調データに対応するものの立ち下がりにて、交流駆動信号ＭＸと同一レベルに反転する一方、奇偶信号ＳＳがＬレベルであれば、左寄用階調コードパルスＧＣＰＬのうち、当該階調データに対応するものの立ち下がりにて、交流駆動信号ＭＸと同一レベルに反転する。ただし、データ信号Ｘｉの電圧レベルは、階調データが（０００）であれば交流駆動信号ＭＸとは反転レベルとなる一方、階調データが（１１１）であれば交流駆動信号ＭＸとは同一レベルとなる。
【００５７】
このため、１水平走査期間に相当する期間１Ｈにおいて、データ信号Ｘｉとして正側データ電圧＋ＶＤ／２が印加される期間と負側データ電圧−ＶＤ／２が印加される期間は、階調データにかかわらず、互いに等しくなるので、上述したクロストークは発生しない。
【００５８】
また、１水平走査期間の後半期間１／２Ｈにおいて、データ信号Ｘｉの極性を規定する交流駆動信号ＭＸは、同後半期間において走査信号の極性を規定する交流駆動信号ＭＹの反転レベルに設定されているので、データ信号Ｘｉは、走査信号の極性に対応したものとなる。
【００５９】
さらに、本実施形態に係る表示装置では、図８に示されるように、奇数行の走査線３１２が選択される場合、右寄変調法によって階調表示する一方、偶数行の走査線３１２が選択される場合、左寄変調法によって階調表示するので、ｉ列のデータ線２１２に位置する画素１１６が中間階調であるとき、データ信号Ｘｉにおける電圧切り替え回数は、１水平走査期間１Ｈあたり２回に抑えられる。このため、本実施形態に係る表示装置によれば、中間階調の表示を行う場合における消費電力を、右寄変調法だけを適用した従来装置と比較して、約２／３倍に抑えることが可能となる。
【００６０】
なお、上述した実施形態では、奇数行の走査線３１２が選択される場合、右寄変調法によって階調表示する一方、偶数行の走査線３１２が選択される場合、左寄変調法によって階調表示する構成としたが、反対に、奇数行の走査線３１２が選択される場合、左寄変調法によって階調表示する一方、偶数行の走査線３１２が選択される場合、右寄変調法によって階調表示する構成としても良いのはもちろんである。
【００６１】
＜応用形態＞
上述した実施形態では、走査線３１２は、ＩＴＯなどの比較的抵抗率の大きな金属から形成されるため、容量ＣＴおよび容量ＣＬＣとともに一種の微分回路が等価的に構成されることになる。このため、図１０（ａ）に示されるように、走査信号Ｙｊにおいては、データ信号Ｘｉの電圧切り替えに伴って微分ノイズが少なからず発生する。このうち、右寄変調法における選択電圧の印加期間に発生する微分ノイズＳは、液晶層１１８に印加される電圧実効値に直接影響を与えて、本来的に書き込むべき電圧との誤差を生じる原因となる。
【００６２】
一方、上述した実施形態では、奇数行の走査線３１２が選択される場合に、すべてのデータ線２１２の各々に対して右寄変調法によるデータ信号Ｘ１、Ｘ２、……、Ｘ３２０が印加される構成となっている。このため、当該走査線３１２に位置する３２０個の画素１１６の多数が同一中間階調であると、データ信号Ｘ１、Ｘ２、……、Ｘ３２０の多数が、同一タイミングにて電圧切り替えを起こすので、走査信号Ｙｊには、著しく大きな微分ノイズが選択電圧の印加期間で発生することになる。したがって、当該走査線３１２に位置する３２０個の画素１１６には、本来的に書き込むべき電圧が印加されないので、他の走査線３１２に位置する画素１１６との比較において濃度差が発生して表示品位の低下を招くことになる。
【００６３】
そこで、このような表示品位の低下を防止した応用形態について説明する。この応用形態に係る表示装置は、図９に示されるように、奇数行の走査線３１２が選択される場合に、奇数列のデータ線２１２へのデータ信号については、右寄変調法によって階調表示する一方、偶数列へのデータ線２１２のデータ信号については、左寄変調法によって階調表示し、反対に、偶数行の走査線３１２が選択される場合に、奇数列のデータ線２１２へのデータ信号については、左寄変調法によって階調表示する一方、偶数列のデータ線２１２へのデータ信号については、右寄変調法によって階調表示することとしたものである。
【００６４】
このような構成については、ＰＷＭデコーダ２５０６（図６参照）において、電圧選択信号の生成の際に、奇数列のデータ線２１２に対応するものと偶数列のデータ線２１２に対応するものとで、右寄用階調コードパルスＧＣＰＲと左寄用階調コードパルスＧＣＰＬとの扱いを逆にする構成とするだけで済む。詳細には、ＰＷＭデコーダ２５０６は、次のようにして電圧選択信号を生成すれば良い。
【００６５】
すなわち、奇偶信号ＳＳがＨレベルである期間において、ＰＷＭデコーダ２５０６は、奇数列の１個の階調データＤｎに着目して、それが黒（オン）に相当する（１１１）または（０００）以外であれば、右寄用階調コードパルスＧＣＰＲのうち、当該階調データＤｎに対応するものの立ち下がりにて、交流駆動信号ＭＸと同一レベルに反転するように電圧選択信号を生成する一方、偶数列の１個の階調データＤｎに着目して、それが黒（オン）に相当する（１１１）または（０００）以外であれば、左寄用階調コードパルスＧＣＰＬのうち、当該階調データＤｎに対応するものの立ち下がりにて、交流駆動信号ＭＸと同一レベルに反転するように電圧選択信号を生成する。
【００６６】
反対に、奇偶信号ＳＳがＬレベルである期間において、ＰＷＭデコーダ２５０６は、奇数列の１個の階調データＤｎに着目して、それが黒（オン）に相当する（１１１）または（０００）以外であれば、左寄用階調コードパルスＧＣＰＬのうち、当該階調データＤｎに対応するものの立ち下がりにて、交流駆動信号ＭＸと同一レベルに反転するように電圧選択信号を生成する一方、偶数列の１個の階調データＤｎに着目して、それが黒（オン）に相当する（１１１）または（０００）以外であれば、右寄用階調コードパルスＧＣＰＲのうち、当該階調データＤｎに対応するものの立ち下がりにて、交流駆動信号ＭＸと同一レベルに反転するように電圧選択信号を生成する。
【００６７】
このような応用形態によれば、仮に、奇数行の走査線３１２が選択されて、その走査線３１２に位置する３２０個の画素１１６のすべてが同一中間階調であるとしても、奇数列のデータ線２１２へのデータ信号は右寄変調法によるタイミングにて電圧切り替えする一方、偶数列のデータ線２１２へのデータ信号は左寄変調法による電圧切り替えするので、図１０（ｂ）に示されるように、走査信号Ｙｊにおいて選択電圧の印加期間で発生する微分ノイズは、ＳＲ、ＳＬで示されるようには２つとなり、しかも、同一タイミングにて電圧切り替えを起こすデータ線数は１６０本づつとなるので、その大きさも低減される。したがって、この応用形態に係る表示装置によれば、走査信号Ｙｊの微分ノイズに起因する表示品位の低下を防止することが可能となる。
【００６８】
なお、この応用形態では、奇数行の走査線３１２が選択される場合に、奇数列のデータ線２１２へのデータ信号については、左寄変調法によって階調表示する一方、偶数列へのデータ線２１２のデータ信号については、右寄変調法によって階調表示し、反対に、偶数行の走査線３１２が選択される場合に、奇数列のデータ線２１２へのデータ信号については、右寄変調法によって階調表示する一方、偶数列のデータ線２１２へのデータ信号については、左寄変調法によって階調表示する構成としても良いのはもちろんである。
【００６９】
また、奇数列、偶数列でデータ線２１２のデータ信号を分類するのではなく、複数列毎に、右寄変調法と左寄変調法とを交互に適用しても良いし、左半分（左から数えて１列目〜１６０列目）のデータ線を右寄変調法により、右半分（左から数えて１６１列目〜３２０列目）のデータ線を左寄変調法により、それぞれ階調表示のためにデータ信号を生成することとしても良い。
【００７０】
＜その他＞
なお、上述した実施形態や応用形態では、１水平走査期間の後半期間のみに選択電圧＋ＶＳまたは−ＶＳを印加する構成としたが、前半期間のみに印加する構成としても良い。また、上述した実施形態や応用形態では、左寄変調法および右寄変調法が、奇数行および偶数行の走査線３１２に対して固定的に適用されたが、１垂直走査期間毎、あるいは、それ以上の周期毎で入れ替えても良い。同様に、応用形態では、左寄変調法および右寄変調法が、奇数列および偶数列のデータ線２１２に対して固定的に適用されたが、１垂直走査期間毎、あるいは、それ以上の周期毎で入れ替えても良い。
【００７１】
一方、図１において、ＴＦＤ２２０はデータ線２１２の側に接続され、液晶層１１８が走査線３１２の側に接続されているが、これとは逆に、ＴＦＤ２２０が走査線３１２の側に、液晶層１１８がデータ線２１２の側にそれぞれ接続される構成でも良い。
【００７２】
一方、上述した液晶パネル１００におけるＴＦＤ２２０は、スイッチング素子の一例であり、他に、ＺｎＯ（酸化亜鉛）バリスタや、ＭＳＩ（Metal Semi-Insulator）などを用いた素子や、これら素子を２つ逆向きに直列接続または並列接続したものなどの二端子型素子が適用可能であり、さらに、ＴＦＴ（Thin Film Transistor：薄膜トランジスタ）や、絶縁ゲート型電界効果トランジスタなどの三端子型素子が適用可能である。
【００７３】
ここで、スイッチング素子としてＴＦＴを適用する場合には、例えば、素子基板２００の表面にシリコン薄膜を形成するとともに、この薄膜にソース、ドレイン、チャネルを形成すれば良い。また、スイッチング素子として絶縁ゲート型電界効果トランジスタを適用する場合には、例えば、素子基板２００を半導体基板とし、当該半導体基板表面にソース、ドレイン、チャネルを形成すれば良いが、半導体基板が光透過性を有しないので、画素電極２３４をアルミニウムなどの金属からなる反射電極から形成して、反射型として用いることになる。
【００７４】
なお、スイッチング素子として三端子型素子を適用する場合には、素子基板２００にデータ線２１２および走査線３１２の一方だけではなく、双方を交差させて形成しなければならないので、それだけ配線ショートの可能性が高まる点、さらに、ＴＦＴ自体は、ＴＦＤよりも構成が複雑であるので、製造プロセスが複雑化する点において、不利である。
【００７５】
また、ＴＦＤやＴＦＴのようなスイッチング素子を用いずに、ＳＴＮ（Super Twisted Nematic）型液晶を用いたパッシィブ型液晶などにも適用可能である。また、画素電極２３４を反射性金属から構成して、あるいは、画素電極２３４の下側に反射層を別途形成して、反射型として用いても良いし、さらには、当該反射層を極めて薄く形成して半透過・半反射型として用いても良い。
【００７６】
さらに、上述した説明にあっては、電気光学材料として液晶を用いた表示装置を例にとって説明したが、エレクトロルミネッセンスや、蛍光表示管、プラズマディスプレイなど、電気光学効果により表示を行う表示装置に適用可能である。すなわち、本発明は、上述した表示装置と類似の構成を有するすべての表示装置に適用なものである。
【００７７】
＜電子機器＞
次に、上述した液晶装置を具体的な電子機器に用いた例のいくつかについて説明する。
【００７８】
＜その１：モバイル型コンピュータ＞
次に、上述した表示装置を、モバイル型のパーソナルコンピュータの表示部に適用した例について説明する。図１８は、このパーソナルコンピュータの構成を示す斜視図である。図において、コンピュータ２２００は、キーボード２２０２を備えた本体部２２０４と、表示部として用いられる液晶パネル１００とを備えている。なお、この液晶パネル１００の背面には、視認性を高めるためにバックライトが設けられるが、外観には表れないので、図示を省略している。
【００７９】
＜その２：携帯電話＞
さらに、上述した表示装置を、携帯電話の表示部に適用した例について説明する。図１９は、この携帯電話の構成を示す斜視図である。図において、携帯電話２３００は、複数の操作ボタン２３０２のほか、受話口２３０４、送話口２３０６とともに、上述した液晶パネル１００を備えるものである。なお、この液晶パネル１００の背面にも、視認性を高めるためのバックライトが設けられるが、外観には表れないので、図示を省略している。
【００８０】
＜その３：ディジタルスチルカメラ＞
次に、上述した表示装置をファインダに用いたディジタルスチルカメラについて説明する。図２０は、このディジタルスチルカメラの構成を示す斜視図であるが、外部機器との接続についても簡易的に示すものである。
【００８１】
通常のカメラは、被写体の光像によってフィルムを感光するのに対し、ディジタルスチルカメラ２４００は、被写体の光像をＣＣＤ（Charge Coupled Device）などの撮像素子により光電変換して撮像信号を生成するものである。ここで、ディジタルスチルカメラ２４００におけるケース２４０２の背面には、上述した液晶パネル１００が設けられ、ＣＣＤによる撮像信号に基づいて、表示を行う構成となっている。このため、液晶パネル１００は、被写体を表示するファインダとして機能する。また、ケース２４０２の前面側（図２０においては裏面側）には、光学レンズやＣＣＤなどを含んだ受光ユニット２４０４が設けられている。
【００８２】
ここで、撮影者が液晶パネル１００に表示された被写体像を確認して、シャッタボタン２４０６を押下すると、その時点におけるＣＣＤの撮像信号が、回路基板２４０８のメモリに転送・格納される。また、このディジタルスチルカメラ２４００にあっては、ケース２４０２の側面に、ビデオ信号出力端子２４１２と、データ通信用の入出力端子２４１４とが設けられている。そして、図に示されるように、前者のビデオ信号出力端子２４１２にはテレビモニタ２４２０が、また、後者のデータ通信用の入出力端子２４１４にはパーソナルコンピュータ２４３０が、それぞれ必要に応じて接続される。さらに、所定の操作によって、回路基板２４０８のメモリに格納された撮像信号が、テレビモニタ２４２０や、パーソナルコンピュータ２４３０に出力される構成となっている。
【００８３】
なお、電子機器としては、図１８のパーソナルコンピュータや、図１９の携帯電話、図２０のディジタルスチルカメラの他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、上述した表示装置が適用可能なのは言うまでもない。
【００８４】
【発明の効果】
以上説明したように本発明によれば、中間階調の表示を行う場合に、データ線に印加される電圧の切り替わり頻度が低下するので、その切り替わりに伴って消費される電力を低く抑えることが可能となる。
【図面の簡単な説明】
【図１】  本発明の実施形態に係る表示装置の電気的な構成を示すブロック図である。
【図２】  同表示装置における液晶パネルの構成を示す斜視図である。
【図３】  同液晶パネルの要部構成を摸式的に示す部分破断斜視図である。
【図４】  同表示装置におけるＹドライバの構成を示すブロック図である。
【図５】  同Ｙドライバの動作を説明するためのタイミングチャートである。
【図６】  同表示装置におけるＸドライバの構成を示すブロック図である。
【図７】  同Ｘドライバの動作を説明するためのタイミングチャートである。
【図８】  同表示装置における駆動波形を説明するためのタイミングチャートである。
【図９】  本発明の応用形態に係る表示装置における駆動波形を説明するためのタイミングチャートである。
【図１０】  （ａ）および（ｂ）は、それぞれ実施形態および応用形態に係る表示装置において発生するスパイクを示すための図である。
【図１１】  （ａ）および（ｂ）は、それぞれ実施形態および応用形態に係る表示装置における画素の等価回路を示す図である。
【図１２】  ４値駆動法（１Ｈ反転）における走査信号Ｙｊおよびデータ信号Ｘｉの波形例を示す図である。
【図１３】  表示の不具合を説明するための図である。
【図１４】  ４値駆動法（１／２Ｈ反転）における走査信号Ｙｊおよびデータ信号Ｘｉの波形例を示す図である。
【図１５】  （ａ）は、右寄変調法を説明するための図であり、（ｂ）は、左寄変調法を説明するための図である。
【図１６】  （ａ）、（ｂ）は、それぞれ保持期間におけるデータ信号Ｘｉの電圧切り替えを説明するための図である。
【図１７】  右寄変調法における走査信号Ｙｊおよびデータ信号Ｘｉの波形例を示す図である。
【図１８】  同表示装置を適用した電子機器の一例たるパーソナルコンピュータの構成を示す斜視図である。
【図１９】  同表示装置を適用した電子機器の一例たる携帯電話の構成を示す斜視図である。
【図２０】  同表示装置を適用した電子機器の一例たるディジタルスチルカメラの構成を示す斜視図である。
【符号の説明】
１００……液晶パネル
１０５……液晶
１１６……画素
１１８……液晶層
２００……素子基板
２１２……データ線
２２０……ＴＦＤ
２３４……画素電極
２５０……Ｘドライバ（データ線駆動回路）
３００……対向基板
３１２……走査線
３５０……Ｙドライバ（走査線駆動回路）
２２００……パーソナルコンピュータ
２３００……携帯電話
２４００……ディジタルスチルカメラ
【図１】
0003968931.tif 000002
【図２】
0003968931.tif 000003
【図３】
0003968931.tif 000004
【図４】
0003968931.tif 000005
【図５】
0003968931.tif 000006
【図６】
0003968931.tif 000007
【図７】
0003968931.tif 000008
【図８】
0003968931.tif 000009
【図９】
0003968931.tif 000010
【図１０】
0003968931.tif 000011
【図１１】
0003968931.tif 000012
【図１２】
0003968931.tif 000013
【図１３】
0003968931.tif 000014
【図１４】
0003968931.tif 000015
【図１５】
0003968931.tif 000016
【図１６】
0003968931.tif 000017
【図１７】
0003968931.tif 000018
【図１８】
0003968931.tif 000019
【図１９】
0003968931.tif 000020
【図２０】
0003968931.tif 000021